(57)【要約】【課題】簡単な施工で、作業者の熟練度に左右されずに高い防水機能を得ることができる防水ワッシャおよび防水ワッシャの製造方法を提供する。【解決手段】止水材２０を充填するための充填部３１を有するワッシャ本体３０と、充填部３１に充填される止水材２０とを備えており、前記止水材２０は、ゴムやエラストマーなどの材料によって構成される弾性体にて構成されており、かつワッシャ本体３０に形成されている締付部材用貫通孔３３を塞ぐように充填されている。【選択図】図１
2007278362.tif 000002
【特許請求の範囲】
【請求項１】
止水材を充填する充填部を有するワッシャ本体と、前記充填部に充填される止水材とを備え、
前記止水材は、弾性体にて構成されかつ前記ワッシャ本体に形成された締付部材用貫通孔を塞ぐように充填されている
ことを特徴とする防水ワッシャ。
【請求項２】
前記止水材は、前記ワッシャ本体の充填部よりも固定対象物側へはみ出すように充填されている
ことを特徴とする請求項１に記載の防水ワッシャ。
【請求項３】
前記ワッシャ本体は、大径側が開口した円錐台状に形成され、小径側に締付部材用貫通孔が形成された
ことを特徴とする請求項１または請求項２に記載の防水ワッシャ。
【請求項４】
前記止水材は、天然、石油系を原材料とした樹脂、ゴム、プラスチック、シリコン材料によって構成された
ことを特徴とする請求項１乃至請求項３のいずれか１項に記載の防水ワッシャ。
【請求項５】
止水材を充填する充填部を備えたワッシャ本体を、前記充填部が上向きになるように配置し、
前記充填部に、弾性体にて構成される止水材を溶融した状態で、前記ワッシャ本体に形成された締付部材用貫通孔を塞ぐように流入した後に、前記止水材を固化させた
ことを特徴とする防水ワッシャの製造方法。
【請求項６】
前記充填部に、当該充填部の体積よりも多い量の止水材を流入して、前記充填部よりはみ出す余盛部を形成した後に、前記止水材を固化させた
ことを特徴とする請求項５に記載の防水ワッシャの製造方法。
【請求項７】
弾性体にて構成される止水材を、ワッシャ本体の止水材を充填する充填部の形状に沿うように成型しておき、
前記成型された止水材を、前記ワッシャ本体の充填部に装着した
ことを特徴とする防水ワッシャの製造方法。
【請求項８】
前記止水材には、前記ワッシャ本体の充填部よりはみ出す余盛部が一体的に成型されている
ことを特徴とする請求項７に記載の防水ワッシャの製造方法。
【発明の詳細な説明】
【技術分野】
【０００１】
本発明は、建物の外部などで用いられる防水機能を備えた防水ワッシャおよびその製造方法に関する。
【背景技術】
【０００２】
図６に示すように、従来、建物の外部などで、外部固定部品６１をビス６２によって取り付けて固定する場合は、ドリル６３などによって外部固定部品６１および下地６４への先穴加工を行った（図６（ａ）参照）後に、加工した穴６５にシーリング材６６を充填した（図６（ｂ）参照）上で、ワッシャ６８を設けた上からビス６２により固定を行い（図６（ｃ）参照）、ビス頭部６２ａやワッシャ６８の周囲にシーリング材６７を塗布する（図６（ｄ）参照）ことで、防水機能を確保するようになっていた（従来技術１）。
【０００３】
一方、近年では、外部固定部品の他の固定構造として、特許文献１に示すような防水ワッシャを取り付けるような構造もあった。図７に示すように、前記防水ワッシャ７１は、短円筒形周壁７２を有したワッシャ本体７３に、貫通孔７４を有するブッシュ７５を挿入して構成されている。このような構成によれば、ワッシャ本体７３の貫通孔７６とブッシュ７５の貫通孔７４にボルト７７を挿通して、所定トルクまで締め付けることによって、ブッシュ７５が変形して固定対象物７８（外部固定部品）のボルト嵌挿穴７９を密封して防水性が高まる（従来技術２）。
【特許文献１】特開平８−２００３４５号公報
【発明の開示】
【発明が解決しようとする課題】
【０００４】
しかしながら、従来技術１の固定構造では、シーリング材６６，６７の充填や塗布などの現場施工工程が多いために、施工手間および施工時間が多くかかるとともに、防水機能が作業者の熟練度に左右されるといった問題があった。
【０００５】
一方、従来技術２の固定構造では、ブッシュ７５がボルト７７の締付けトルクによって固定対象物７８のボルト嵌挿孔７９を塞ぐことはできるものの、固定対象物７８の面積が小さい場合などは、固定対象物７８と被固定対象物８０との間に水が浸入してボルト嵌挿孔７９を通って被固定対象物８０の裏側まで水が浸入してしまうことがあり、防水機能を確保できないといった問題があった。
【０００６】
そこで、本発明は、前記の問題を解決するためになされたものであり、簡単な施工で、作業者の熟練度に左右されずに高い防水機能を得ることができる防水ワッシャおよびその製造方法を提供することを課題とする。
【課題を解決するための手段】
【０００７】
前記課題を解決するための請求項１に係る発明は、止水材を充填する充填部を有するワッシャ本体と、前記充填部に充填される止水材とを備え、前記止水材は、弾性体にて構成されかつ前記ワッシャ本体に形成された締付部材用貫通孔を塞ぐように充填されていることを特徴とする防水ワッシャである。
【０００８】
前記構成によれば、弾性体にて構成された止水材が、締付部材用貫通孔を塞ぐようにワッシャ本体に充填されているので、ビスなどの締付部材を固定対象物側へ螺合させたときに、締付部材がその場所に位置する止水材を他の部分に押しのけることとなり、押しのけられた止水材が、固定対象物および被固定対象物のビス孔の周囲に押し付けられる。また、締付部材でワッシャ本体を締め付けることによって、止水材は、ワッシャ本体、締付部材および固定対象物に適度な圧力で押し付けられる。これによって、止水材と各部材（ワッシャ本体、締付部材および固定対象物）との間に隙間が発生せず、さらにビス孔の周囲が止水されているので、十分な防水機能を確保できる。よって、固定対象物が小さく固定対象物と被固定対象物との間に水が浸入した場合であっても、被固定対象物の内部に水が浸入することはない。また、止水材がビス孔などを止水するので、固定対象物や締付部材の周囲にシーリング材を塗布する必要はなく、締付部材を締め付けるといった簡単な作業を行えばよく、従来と比較して大幅に簡単な施工となるため、作業者の熟練度に左右されることはない。さらに、止水材には、ビス孔が形成されていないので、ビスが誤って斜めに挿入されたとしても、ビス周りに隙間が発生せず、防水性能を確保することができる。
【０００９】
請求項２に係る発明は、前記止水材が、前記ワッシャ本体の充填部よりも固定対象物側へはみ出すように充填されていることを特徴とする請求項１に記載の防水ワッシャである。
【００１０】
前記構成によれば、締付部材の締付時により多くの止水材を固定対象物および被固定対象物のビス孔の周囲に押し付けることができ、防水機能を高められる。さらに、止水材をワッシャ本体の周囲にはみ出させて、固定対象物と防水ワッシャ間の防水性能も高めることができる。
【００１１】
請求項３に係る発明は、前記ワッシャ本体が、大径側が開口した円錐台状に形成され、小径側に締付部材用貫通孔が形成されたことを特徴とする請求項１または請求項２に記載の防水ワッシャである。
【００１２】
前記構成によれば、ワッシャ本体の充填部に止水材を均一に充填できるとともに、締付部材の締付によるワッシャ本体の押圧力を均一に止水材へ伝達することができる。
【００１３】
請求項４に係る発明は、前記止水材が、天然、石油系を原材料とした樹脂、ゴム、プラスチック、シリコン材料によって構成されたことを特徴とする請求項１乃至請求項３のいずれか１項に記載の防水ワッシャである。
【００１４】
前記構成によれば、止水材の柔軟性が高く、変形しやすいので、締付部材を固定対象物へ螺合させたときに、締付部材が止水材を他の部分に押しのけやすく、隙間が発生し難い。したがって、防水性能をさらに高めることができる。
【００１５】
請求項５に係る発明は、止水材を充填する充填部を備えたワッシャ本体を、前記充填部が上向きになるように配置し、前記充填部に、弾性体にて構成される止水材を溶融した状態で、前記ワッシャ本体に形成された締付部材用貫通孔を塞ぐように流入した後に、前記止水材を固化させたことを特徴とする防水ワッシャの製造方法である。
【００１６】
前記製造方法によれば、容易な工程で、ワッシャ本体の締付部材用貫通孔を塞いだ防水ワッシャを製造することができる。
【００１７】
請求項６に係る発明は、前記充填部に、当該充填部の体積よりも多い量の止水材を流入して、前記充填部よりはみ出す余盛部を形成した後に、前記止水材を固化させたことを特徴とする請求項５に記載の防水ワッシャの製造方法である。
【００１８】
前記製造方法によれば、容易な工程で余盛部を形成することができ、より防水性能の高い防水ワッシャを製造することができる。
【００１９】
請求項７に係る発明は、弾性体にて構成される止水材を、ワッシャ本体の止水材を充填する充填部の形状に沿うように成型しておき、前記成型された止水材を、前記ワッシャ本体の充填部に装着したことを特徴とする防水ワッシャの製造方法である。
【００２０】
前記製造方法によれば、請求項５の発明と同様に、容易な工程で、ワッシャ本体の締付部材用貫通孔を塞いだ防水ワッシャを製造することができる。
【００２１】
請求項８に係る発明は、前記止水材には、前記ワッシャ本体の充填部よりはみ出す余盛部が一体的に成型されていることを特徴とする請求項７に記載の防水ワッシャの製造方法である。
【００２２】
前記製造方法によれば、容易な工程で余盛部を形成することができ、より防水性能の高い防水ワッシャを製造することができる。
【発明の効果】
【００２３】
本発明によれば、簡単な施工で、作業者の熟練度に左右されずに高い防水機能を得ることができるといった優れた効果を発揮する。
【発明を実施するための最良の形態】
【００２４】
本発明に係る防水ワッシャおよびその製造方法を実施するための最良の実施の形態について図面を参照して詳細に説明する。
【００２５】
図１は、本発明に係る防水ワッシャを実施するための最良の実施の形態を示した（ａ）は断面図、（ｂ）は一部破断斜視図である。図２は、本発明に係る防水ワッシャを実施するための最良の実施の形態の締付部材を締め付けた状態を示した断面図である。図３は、本発明に係る防水ワッシャを実施するための最良の実施の形態の締付部材を締め付けた状態を示した平面図である。図４は、本発明に係る防水ワッシャの製造方法を実施するための最良の実施の形態を示した（ａ）は第一工程説明図、（ｂ）は第二工程説明図、（ｃ）は第三工程説明図である。図５は、本発明に係る防水ワッシャを実施するための最良の実施の形態の締付部材を斜めに締め付けた状態を示した断面図である。
【００２６】
まず、本実施の形態に係る防水ワッシャの構成を説明する。
【００２７】
図１に示すように、かかる防水ワッシャ１は、止水材２０を充填する充填部３１を有するワッシャ本体３０と、充填部３１に充填される止水材２０とを備えている。
ワッシャ本体３０は、スチールやステンレスあるいはアルミニウムなどの金属プレートをプレス加工することで形成されている。ワッシャ本体３０は、大径側が開口した円錐台状に形成されており、小径側のプレート部３２にビス４０（図２参照）などを挿通させるための締付部材用貫通孔３３が形成されている。締付部材用貫通孔３３は、打抜き加工によって形成されており、ビス４０の胴部４１ａの径よりも大きく、頭部４１ｂの最大外径よりも小さい径となる円形を呈している。ここで、ビス４０は、胴部４１ａが締付部材用貫通孔３３を通過し、頭部４１ｂが締付部材用貫通孔３３に係止されるサイズであれば、種々のサイズで利用可能である。
【００２８】
止水材２０は、天然、石油系を原材料とした樹脂、ゴム、プラスチック、シリコン材料あるいはエラストマーなどの弾性体にて構成されている。ここでいう弾性体は、締付部材によって押しのけられる程度の弾性を有する。本実施の形態では、具体的には、止水材２０は、ブチルゴムまたはスチレンイソプレンブロック共重合体などのゴム材料によって構成されており、柔軟性が高く変形しやすい性質を有している。
【００２９】
ブチルゴム（ＩＩＲ）は、イソブチレンと少量のイソプレンを−１００度くらいの超低温で共重合させた極めて不飽和度の低いゴムである。ブチルゴムは、気体透過性が非常に小さいので、気体や水分が透過しにくく高い止水性を有する。また、ブチルゴムは、不飽和度が低いため、耐候性、耐熱性および耐オゾン性が優れており、さらに、低反発弾性であるため、衝撃吸収性、エネルギー吸収性に優れている。
【００３０】
一方、スチレンイソプレンブロック共重合体はスチレンドメイン層とイソプレン層に分かれる共重合体であって、ポリマー単体で粘着性能を有する。また、スチレンイソプレンブロック共重合体は、物理強度に優れており、塑性変形を起こしにくいので、元の形状を維持することができる。
【００３１】
止水材２０は、ワッシャ本体３０の充填部３１に、締付部材用貫通孔３３を塞ぐように充填されている。本実施の形態では、止水材２０は、締付部材用貫通孔３３の内周面側まで充填され、ワッシャ本体３０のプレート部３２の外側表面と面一になるように構成されている。なお、止水材２０は、ワッシャ本体３０のプレート部３２の内側表面と面一になるように構成してもよい。
【００３２】
また、止水材２０は、ワッシャ本体３０の充填部３１よりも固定対象物５０（図２参照）側へはみ出すように充填されている。詳しくは、止水材２０は、ワッシャ本体３０の大径側の開口部から離反する方向に突出しており、余盛部２１を構成している。余盛部２１は、その先端部分（図１中、下側）が平面状に形成されている。
【００３３】
次に、前記構成の防水ワッシャ１の製造方法を説明する。
【００３４】
まず、通常の平板状のワッシャをプレス加工して、充填部３１を有する円錐台状のワッシャ本体３０を形成する。なお、ワッシャ本体３０は、市販のものがあれば、それを用いてもよい。
【００３５】
そして、図４（ａ）に示すように、充填部３１を備えたワッシャ本体３０を、前記充填部が上向きになるように配置する。本実施の形態では、プレス加工で用いた下型１０を利用して、ワッシャ本体３０の外側面全体が型に当接するように保持されているが、ワッシャ本体３０は、締付部材用貫通孔３３が塞がれるように保持されていれば足りる。
【００３６】
次に、図４（ｂ）に示すように、充填部３１に、止水材を溶融した状態で流入させて充填する。このとき、ワッシャ本体３０に形成された締付部材用貫通孔３３の全体を塞ぐように止水材２０を流入する。ここで、流入される止水材２０の量は、充填部３１の体積よりも多い量となっており、ワッシャ本体３０の上部に止水材２０が突出するように構成されている。これによって、ワッシャ本体３０の充填部３１からはみ出す余盛部２１が形成されることとなる。このとき、止水材２０は溶融温度によって粘度が変化する性質を有しているので、止水材２０の溶融温度を適宜変化させることで、余盛部２１の高さを調整する。
【００３７】
そして、止水材２０が固化する前に、図４（ｃ）に示すように、上方から型１１を押し当て、余盛部２１の先端を平面状に形成する。その後、止水材２０が固化したならば、型１１を取り外して、防水ワッシャ１を下型１０から取り出して、余盛部２１の表面に磨きなどの仕上げを施して、防水ワッシャ１が完成する。なお、止水材２０の溶融温度が高く、止水材２０の粘度が低くて、その上面が平面状になる場合は、上方の型１１は使用する必要はない。
【００３８】
なお、本発明に係る防水ワッシャ１を製造するに際しては、以下のような工程を行ってもよい。まず、弾性体にて構成される止水材２０を、ワッシャ本体３０の充填部３１の形状に沿うように別途成型しておき、この成型された止水材２０を、ワッシャ本体３０の充填部３１に隙間がないように装着する。このとき止水財２０は粘着性を有しているので、充填部３１に嵌め込むだけで、固定される。止水材２０には、ワッシャ本体３０の充填部３１よりはみ出す余盛部２１を一体的に成型しておくとよい。
【００３９】
次に、前記構成に係る防水ワッシャ１の使用状態を説明しながら、防水ワッシャ１の作用を説明する。
【００４０】
図２および図３に示すように、ビス孔５３が形成された被固定対象物５１に固定対象物５０をセットした後、防水ワッシャ１をセットして、ビス４０を締付部材用貫通孔３３から止水材２０へと捩じ込む。ビス４０は、止水材２０を貫通して、固定対象物５０のビス孔５３を通過して被固定対象物５１のビス孔５４および被固定対象物５１の下地材５５へと螺合されていく。その工程において、ビス４０の頭部４１はワッシャ本体３０の締付部材用貫通孔３３の周縁部に当接する。そして、さらにビス４０を締め付けることでワッシャ本体３０は、固定対象物５０側へと押し付けられる。
【００４１】
このとき、止水材２０は、弾性体にて構成されており、締付部材用貫通孔３３を塞ぐようにワッシャ本体３０に充填されているので、ビス４０などの締付部材を被固定対象物５１などの固定対象物５０側へ螺合させたときに、ビス４０がその場所に位置する止水材２０を他の部分に押しのけることとなる。また、ビス４０でワッシャ本体３０を締め付けることによって、止水材２０は、ワッシャ本体３０、ビス４０および固定対象物５０に適度な圧力で押し付けられる。これによって、止水材２０と各部材（ワッシャ本体３０、ビス４０および固定対象物５０）との間に隙間が発生せず、さらに止水材２０と各部材の密着性が高まるので、十分な防水機能を確保できる。また、ワッシャ本体３０がビス４０の頭部４１で固定対象物５０側へ押し付けられるので、ビス４０によって押しのけられた止水材２０が、固定対象物５０のビス孔５３および被固定対象物５１のビス孔５４の周囲に押し付けられて、その一部は、各ビス孔５３，５４内に入り込む。これによって、固定対象物５０が小さく固定対象物５０と被固定対象物５１との間に水が浸入した場合であっても、ビス孔５３，５４の周囲が止水材２０で押圧されて止水されているので、十分な防水機能を確保できる。また、止水材２０がビス孔５３，５４内に入り込んで止水するので、固定対象物５０やビス４０の周囲にシーリング材を塗布する必要はなく、ビス４０を締め付けるといった簡単な作業を行えばよく、従来と比較して大幅に簡単な施工となるため、作業者の熟練度に左右されることはない。
【００４２】
また、止水材２０が、充填部３１の体積より多く流し込まれ、ワッシャ本体３０からはみ出した余盛部２１が形成されているので、ビス４０の締付時に、より多くの止水材２０を固定対象物５０のビス孔５３および被固定対象物５１のビス孔５４の周囲に押し付けるとともに、ビス孔５３，５４内にも挿入させることができ、防水機能を高められる。さらに、止水材２０をワッシャ本体３０の周囲にはみ出させて、ワッシャ本体３０と固定対象物５０との隙間を完全に塞ぐことができるので、固定対象物５０と防水ワッシャ１間の防水性能も高めることができる。特に、ワッシャ本体３０の周縁部では、ワッシャ本体３０が止水材２０を集中的に押し付けるので、止水性が高い。また、弾性を有する止水材２０がワッシャ本体３０の周囲にはみ出ていることによって、固定対象物５０の表面に凹凸が有る場合でも、その形状に追従させることができる。ここで、固定対象物５０の表面の凹凸が大きい場合には、余盛部２１の体積を大きくすれば、止水材２０を凹凸形状に十分に追従させることができる。
【００４３】
さらに、ワッシャ本体３０が、大径側が開口した円錐台状に形成されているので、ワッシャ本体３０の充填部３１に止水材２０を隙間なく均一に充填できるとともに、ビス４０の締付によるワッシャ本体３０の押圧力を均一に止水材２０へ伝達することができ、防水性能を高めることができる。また、ワッシャ本体３０の固定対象物５０側が大径側となっているので、ワッシャ本体３０の周縁部からビス孔５３までの止水距離を長く確保することができる。さらに、ワッシャ本体３０は、円錐台状であるので所定の高さを有しており、高さ方向におけるビス４０周囲の止水距離も長く確保できる。したがって、防水性能を大幅に高めることができる。
【００４４】
また、止水材２０は、ブチルゴムまたはスチレンイソプレンブロック共重合体などのゴム材料によって構成されているので、止水材２０の柔軟性が高く、変形しやすいので、ビス４０を固定対象物５０側へ螺合させたときに、ビス４０が止水材２０を他の部分に押しのけやすく、隙間が発生し難い。また、固定対象物５０のビス孔５３および被固定対象物５１のビス孔５４の周囲の形状に沿って止水材２０が密着する。したがって、防水性能をさらに高めることができる。
【００４５】
特に、ブチルゴムを適用した場合は、気体や水分が透過しにくくさらに高い防水性能を得ることができる。また、ブチルゴムは、耐候性、耐熱性および耐オゾン性が優れており、外部で用いられる防水ワッシャ１に適している。さらに、ブチルゴムは、低反発弾性であるため、衝撃吸収性、エネルギー吸収性に優れており、風や地震によって発生する振動を熱エネルギーに変換することで吸収でき、振動を抑制することができるので、固定対象物５０や被固定対象物５１に発生する振動の影響を低減できる。また、スチレンゴムは粘着性を有することによって、止水材２０と各部材（ワッシャ本体３０、ビス４０および固定対象物５０）とが密着し、これら部材間の防水性能を高めることができる。さらに、防水ワッシャ１を固定対象物５０に押し付けて仮固定することができるので、施工を行いやすくなる。
【００４６】
一方、スチレンイソプレンブロック共重合体を適用した場合は、粘着性能を有するとともに物理強度に優れているので、接合強度が高く、重量の大きい固定対象物５０でも固定することが可能である。また、スチレンイソプレンブロック共重合体も粘着性を有することによって、スチレンゴムと同様に、止水材２０と各部材（ワッシャ本体３０、ビス４０および固定対象物５０）とが密着し、これら部材間の防水性能を高めることができる。さらに、防水ワッシャ１を固定対象物５０に押し付けて仮固定することができるので、施工を行いやすくなる。
【００４７】
なお、本実施の形態に係る防水ワッシャ１によれば、図５に示すように、被固定対象物５１にビス孔を形成せずに、ビス４０を直接、螺合させる場合、ビス４０の締付方向の傾斜（振れ）を許容することができる。すなわち、ビス４０が傾斜して締め付けられても、止水材２０がビス４０の周囲に位置するとともに、固定対象物５０のビス孔５３および被固定対象物５１のビス孔５４の周囲に押し付けられるので、図２の場合と同様に十分な防水性能を確保することができる。さらに、ワッシャ本体３０の周囲に止水材２０がはみ出しているので、ワッシャ本体３０による押付け力に偏りが発生しても、ワッシャ本体３０の周縁部全周において必要かつ十分な防水性能を得ることができる。なお、ビス４０の傾斜は４５度程度までなら許容することができる。
【００４８】
以上、本発明を実施するための形態について説明したが、本発明は前記実施の形態に限定されず、本発明の趣旨を逸脱しない範囲で適宜設計変更が可能である。例えば、本実施の形態では、ワッシャ本体３０は、円錐台状に形成されているが、円柱状や直方体状に形成してもよい。但し、円錐台状では、充填部３１の屈曲部の内面の屈曲角度が鈍角となるので、止水材２０を充填しやすく、ワッシャ本体３０と止水材２０との間に隙間が発生することがないので最良である。
【００４９】
また、本実施の形態では、止水材２０がワッシャ本体３０の充填部３１よりも固定対象物５０側へはみ出すように充填されているが、これに限られるものではなく、止水材がワッシャ本体の下端部と揃うように充填してもよい。この場合でも、締付部材が止水材を押しのけるので、押しのけられた止水材が、固定対象物および被固定対象物のビス孔の周囲に押し付けられ、防水性能を高めることができる。
【００５０】
また、締付部材はビス４０に限られるものではなく、釘やボルトなどの他の部材であっても構わない。
【図面の簡単な説明】
【００５１】
【図１】本発明に係る防水ワッシャを実施するための最良の実施の形態を示した（ａ）は断面図、（ｂ）は一部破断斜視図である。
【図２】本発明に係る防水ワッシャを実施するための最良の実施の形態の締付部材を締め付けた状態を示した断面図である。
【図３】本発明に係る防水ワッシャを実施するための最良の実施の形態の締付部材を締め付けた状態を示した平面図である。
【図４】本発明に係る防水ワッシャの製造方法を実施するための最良の実施の形態を示した（ａ）は第一工程説明図、（ｂ）は第二工程説明図、（ｃ）は第三工程説明図である。
【図５】本発明に係る防水ワッシャを実施するための最良の実施の形態の締付部材を斜めに締め付けた状態を示した断面図である。
【図６】（ａ）（ｂ）（ｃ）（ｄ）は、通常のワッシャを用いた防水構造の施工工程を示した断面図である。
【図７】従来の防水ワッシャを示した断面図である。
【符号の説明】
【００５２】
１      防水ワッシャ
２０    止水材
２１    余盛部
３０    ワッシャ本体
３１    充填部
３３    締付部材用貫通孔
４０    ビス（締付部材）
５０    固定対象物
【図１】
2007278362.tif 000003
【図２】
2007278362.tif 000004
【図３】
2007278362.tif 000005
【図４】
2007278362.tif 000006
【図５】
2007278362.tif 000007
【図６】
2007278362.tif 000008
【図７】
2007278362.tif 000009